(57)【要約】【課題】パネル駆動手段の駆動力を動力伝達手段により一対のアームに伝達してフロントパネルを開閉する。【解決手段】記録及び／又は再生装置は、フロントパネル１００の両側において第１のアーム１０９及び第２のアーム１１０の先端部が各軸と当該各軸に対応する各軸受孔を介して連結されることにより第１のアーム及び第２のアームはフロントパネルに対して回動可能になっている。第１のアーム及び第２のアームの少なくともいずれか一方が駆動アームとして駆動し、フロントパネルは操作部が外側に向けられ全閉状態から全開状態まで移動する。駆動手段は一対の駆動機構部の一方を駆動させることにより動力伝達手段を介して他方の駆動機構部を連動駆動させ、第１のアーム及び前記第２のアームの少なくともいずれか一方である駆動アームを駆動させる。【選択図】図９
2008091032.tif 000002
【特許請求の範囲】
【請求項１】
開閉可能なフロントパネルを有する記録及び／又は再生装置において、
記録媒体を挿脱するための開口部が形成されたパネル枠と、
前面に操作部が設けられ、全閉状態においては当該操作部が外側に向けられると共に前記開口部を閉塞し、全開状態においては当該操作部が外側に向けられると共に当該開口部を開放するフロントパネルと、
当該記録及び／又は再生装置の両側に配置され、動力伝達手段により互いに連結される一対の駆動機構部と、
当該記録及び／又は再生装置の一方の側に配置され、前記一対の駆動機構部を駆動させる駆動手段とを有し、
当該記録及び／又は再生装置の両側において第１のアーム及び第２のアームの基端部が前記駆動機構部を介して連結されることにより当該第１のアーム及び当該第２のアームを当該記録及び／又は再生装置に対して回動可能にすると共に、前記フロントパネルの両側において当該第１のアーム及び当該第２のアームの先端部が各軸と当該各軸に対応する各軸受孔を介して連結されることにより当該第１のアーム及び当該第２のアームを当該フロントパネルに対して回動可能にし、
前記第１のアーム及び前記第２のアームの少なくともいずれか一方が駆動アームとして駆動することにより、前記フロントパネルは前記操作部が外側に向けられるように前記全閉状態から前記全開状態まで移動可能にし、
前記駆動手段は前記一対の駆動機構部の一方を駆動させることにより前記動力伝達手段を介して他方の駆動機構部を連動駆動させ、前記第１のアーム及び前記第２のアームの少なくともいずれか一方である駆動アームを駆動させる
ことを特徴とする記録及び／又は再生装置。
【請求項２】
前記フロントパネルが前記全閉状態から前記全開状態に移動可能なように前記第１のアーム及び前記第２のアームの基端部の軸間隔と、前記各軸受孔の間隔と、当該第１のアーム及び当該第２のアームの基端部と先端部の間隔が設定されていると共に、当該フロントパネルが当該全閉状態から当該全開状態に移動したときに、前記各軸は前記各軸受孔の対向する内面に接触する
ことを特徴とする請求項１記載の記録及び／又は再生装置。
【請求項３】
前記駆動手段を、モータと、当該モータの出力軸に固着されたウォームと、当該ウォームに噛合するホイールと、当該ホイールに噛合する複数の伝達ホイールで構成すると共に、前記伝達ホイールを介して回転される前記一対の駆動機構部の一方の大径のカムギヤの側面に渦巻溝を形成し、前記駆動アームの基端部と一体に回動する第１の歯付レバーと当該第１の歯付レバーと噛合し側面に当該大径のカムギヤの当該渦巻溝に係合するピンを有する第２の歯付レバーを設け、前記フロントパネルの前記全閉状態と前記全開状態での動きを拘束する
ことを特徴とする請求項１乃至２のいずれか１つに記載の記録及び／又は再生装置。
【請求項４】
前記フロントパネルが前記全開状態において、前記操作部の少なくとも一つの操作子は前記パネル枠よりも下方に位置する
ことを特徴とする請求項１乃至３のいずれか１つに記載の記録及び／又は再生装置。
【請求項５】
前記フロントパネルが前記全開状態において、当該フロントパネルは前記パネル枠よりも下方まで回動する
ことを特徴とする請求項１乃至４のいずれか１つに記載の記録及び／又は再生装置。
【発明の詳細な説明】
【技術分野】
【０００１】
本発明は、フロントパネルが開いたときの開度を大きくして2以上の記録媒体が挿脱できるようにしたディスクの記録及び／又は再生装置に関する。
【背景技術】
【０００２】
音声や映像の記録及び／又は再生用のディスク（記録媒体）としてコンパクトディスク（以下、単にＣＤという）や、デジタルバースタイルディスク（ＤＶＤ）があり、これらのディスクの記録及び／又は再生装置は、種種のものが市場に多く出回っている。例えば車載用のＣＤの再生方式としては、複数枚のＣＤをマガジンに収容してマガジン単位でまとめて複数枚のＣＤを一度に交換するとともに選択したＣＤを順に再生する方式のものと、その都度に一枚ずつＣＤを交換して再生する方式のものとがある。
【０００３】
後者の方式のディスクの記録及び／又は再生装置は、車室内のインダッシュの定められた空間に収容される。この車載用のディスクの記録及び／又は再生装置は、１ＤＩＮサイズと呼ばれる一定の寸法の略直方体のケース内にφ１２０ｍｍのＣＤを挿入して一枚ずつ再生するようになっている。
このようなディスクの記録及び／又は再生装置には、ＣＤを挿脱するためにパネル枠の上部に開口部が形成され、当該開口部を閉塞するためのフロントパネルが設けられている。フロントパネルを開いた状態では、ＣＤを挿脱させ得る高さ方向での幅分、つまりはパネル枠の上部だけが開放され、ＣＤを挿脱することができる。
このほか、ＣＤに代えて、メモリカード等を単独でケースの内部に挿入して再生する構成の記録及び／又は再生装置もある。
【発明の開示】
【発明が解決しようとする課題】
【０００４】
ところが、パネル枠の上部だけが開放されて下部は開放されないので、メモリカード等を加えた２種以上の異なる記録媒体をケースに挿脱して記録及び／又は再生を行なうことができない。
また、開いた状態でフロントパネルを操作する際に、開いた状態のフロントパネルが動かないように拘束されていないと、フロントパネル上のスイッチ等の操作がし難いという問題もある。
そこで本発明は、斯かる課題を解決したディスクの記録及び／又は再生装置を提供することを目的とする。
【課題を解決するための手段】
【０００５】
斯かる目的を達成するための本発明の構成は、開閉可能なフロントパネルを有する記録及び／又は再生装置において、
記録媒体を挿脱するための開口部が形成されたパネル枠と、
前面に操作部が設けられ、全閉状態においては当該操作部が外側に向けられると共に前記開口部を閉塞し、全開状態においては当該操作部が外側に向けられると共に当該開口部を開放するフロントパネルと、
当該記録及び／又は再生装置の両側に配置され、動力伝達手段により互いに連結される一対の駆動機構部と、
当該記録及び／又は再生装置の一方の側に配置され、前記一対の駆動機構部を駆動させる駆動手段とを有し、
当該記録及び／又は再生装置の両側において第１のアーム及び第２のアームの基端部が前記駆動機構部を介して連結されることにより当該第１のアーム及び当該第２のアームを当該記録及び／又は再生装置に対して回動可能にすると共に、前記フロントパネルの両側において当該第１のアーム及び当該第２のアームの先端部が各軸と当該各軸に対応する各軸受孔を介して連結されることにより当該第１のアーム及び当該第２のアームを当該フロントパネルに対して回動可能にし、
前記第１のアーム及び前記第２のアームの少なくともいずれか一方が駆動アームとして駆動することにより、前記フロントパネルは前記操作部が外側に向けられるように前記全閉状態から前記全開状態まで移動可能にし、
前記駆動手段は前記一対の駆動機構部の一方を駆動させることにより前記動力伝達手段を介して他方の駆動機構部を連動駆動させ、前記第１のアーム及び前記第２のアームの少なくともいずれか一方である駆動アームを駆動させる構成にした。
【発明の効果】
【０００６】
本発明のディスクの記録及び／又は再生装置には次に述べるような効果がある。    （１）フロントパネルを開いた状態で前記回動連結部の遊び間隙を実質的にゼロにするので、前記遊び間隙が原因で起こるフロントパネルの撓みをなくして、フロントパネルのスイッチ等の操作性を向上させることができる。
【０００７】
（２）パネル駆動手段の駆動力を動力伝達手段により一対の駆動アームを同時に駆動することができる。
【０００８】
（３）フロントパネルを拘束する拘束手段を設けたので、フロントパネルを開いた状態でのフロントパネルの動きが拘束され、フロントパネル上の操作子を操作するときの操作性が良い。
【０００９】
（４）拘束手段として、フロントパネルの駆動にウォームギア機構とカムギアとを組み合わせて用いたので、構成が簡単でかつ製造コストがかからない。
【００１０】
（５）フロントパネルが開いた状態では、フロントパネルに設けられた操作子のうちの少なくともひとつの操作子がパネル枠よりも下方に位置するので、前記のようにパネル枠の上から下までのどの位置においても記憶媒体を引出・挿入できるだけでなく、更にフロントパネルの操作子が上面ではなく操作者の方を向くことになり、操作性が一段と向上する。
【００１１】
（６）フロントパネルを開いて移動ユニットを排出した場合でも、フロントパネルと移動パネルの先端部との距離が十分に大きいので、フロントパネルに設けられた複数の操作子のうちの例えばスタートスイッチ等はパネル枠よりも下方に位置しており、移動ユニットが飛び出して排出位置を占めている状態でも、スタートスイッチ等を容易に操作することができる。
【発明を実施するための最良の形態】
【００１２】
以下、本発明によるディスクの記録及び／又は再生装置の実施の形態としてのディスクプレーヤについて説明する。
＜構成＞
（Ａ）ディスクの記録及び／又は再生装置の全体構成
図１，3，６，７，９に示すように、ディスクの記録及び／又は再生装置は大きく分けて、ケース１と、ＣＤを載せてケース１の内部へ引き込む移動ユニット２と、移動ユニット２を駆動する移動用駆動手段３と、ＣＤがケース１の内部に引き込まれた状態で移動ユニット２をロックするロック手段４と、移動ユニット２上でＣＤをチャッキングして回転させるディスク駆動手段５と、回転するＣＤから情報を読み取るピックアップユニット６と、前記ケース１を収容する外枠１０（図９）とで構成される。
【００１３】
（Ｂ）ケース
ケース１は、図３に示すように、底板１ａと、左側板１ｂと、右側板１ｃと、背板１ｄとで成り立っており、板材を切り欠き、折り曲げ、また組み合わせて構成されている。そして、左側板１ｂ，右側板１ｃと一体に形成されて夫々背面側で折り曲げた結合板１ｅ，１ｆの部分が背板１ｄの左右と結合されてケース１の剛性が確保されている。
【００１４】
（Ｃ）移動ユニット
ケース１の内部には、移動ユニット２が設けられている。移動ユニット２は第一移動台８と第二移動台９とで構成されている。第一移動台８は第一ガイド手段を介してケース１に移動自在に設けられ、第二移動台９は第二ガイド手段を介して第一移動台８に移動自在に設けられている。第一移動台８は、底板８ａと左側板８ｂと右側板８ｃとで構成され、第二移動台９は、底板９ａと左側板９ｂと右側板９ｃとで構成されている。
【００１５】
前記第一ガイド手段は、ケース１の底板１ａ，左側板１ｂ，右側板１ｃに前後方向に沿って形成されたガイド孔１０ａ，１０ｂ，１０ｃと、第一移動台８の底板８ａ，左側板８ｂ，右側板８ｃに下方又は外側へ向かって突出するガイドピン１０ｄ，１０ｅ，１０ｆとで構成され、ガイドピン１０ｄ，１０ｅ，１０ｆがガイド孔１０ａ，１０ｂ，１０ｃに遊嵌されている。
【００１６】
前記第二ガイド手段は、第一移動台８の底板８ａの右側と中央部近傍に前後方向に沿って形成されたガイド孔１１ａ，１１ｂと、第二移動台９の底板９ａの背後側に下方へ向かって突出する単一のガイドピン１１ｃ及び一対のガイドピン１１ｄとで構成され、単一のガイドピン１１ｃがガイド孔１１ａに、一対のガイドピン１１ｄがガイド孔１１ｂに遊嵌されている。ガイド孔１１ａ，１１ｂからの抜けを防止するため、ガイドピン１１ｃ，１１ｄは径大部となっている。
【００１７】
ケース１と移動可能な第一移動台８と第二移動台９との各部材間には、遊びが生じないように一方を他方へ向かって付勢する板バネが設けられている。即ち、以下のようになっている。第一移動台８の左右方向での遊びを防止するため、第一移動台８の右側板８ｃの外側には両端がケース１の右側板１ｃの内側を押圧する板バネ１２の中央部が結合されている。第二移動台９の左右方向での遊びを防止するため、第二移動台９の右側板９ｃの内側には第一移動台８の右側板８ｃの内側を押圧する図示しない板バネが取り付けられている。第一移動台８の上下方向での遊びを防止するため、第一移動台８の底板８ａにおける背面側の下面には、図3，図５に示すようにＨ形状の板バネ１６がネジ１７を介して設けられている。板バネ１６は複数の屈曲部を有し、第二移動台９を押圧する４つの上押圧部１６ａと、ケース１を挿圧する図示しない４つの下押圧部とが形成されている。４つの上押圧部１６ａは第一移動台８に形成された４つの切欠部１８から上方へ突出している。
【００１８】
（Ｄ）移動用駆動手段
移動ユニット２を駆動して第二移動台９をケース１の外へ引き出したり、あるいはケース１内へ挿入したりするために移動用駆動手段３が第一移動台８に設けられている。移動用駆動手段３は、ケース１に対する第一移動台８の駆動と、第一移動台８に対する第二移動台９の駆動との双方の駆動を単一の移動用駆動源である移動用モータで行うように構成されている。即ち、図３，４，６，７に示すように、ケース１と移動可能な第一移動台８と第二移動台９とのうちの中間に位置する第一移動台８に単一の移動用モータ２０によって駆動される一対の歯車２１，２２が設けられる一方、ケース１と第二移動台９とには歯車２１，２２に夫々噛み合うラック３６，３７が設けられている。以下、これについて詳細に説明する。
【００１９】
図３に示すように、第一移動台８の背後側の左側には、底板８ａを切り欠いて曲げ成形することにより、底板８ａよりも少し高い高台８ｄが形成される一方、第二移動台９の左側には、高台８ｄが下方へ入り込むための高台９ｄと、前記歯車２１，２２の干渉から逃げるための堀下台９ｅとが形成されている。
【００２０】
高台８ｄの下面であって前面側には前記歯車２１，２２が回転自在に設けられ、図６のように双方の歯車２１，２２に噛み合うピニオンギヤ部２５ａと、平歯車部２５ｂとを有する歯車２５が設けられている。高台８ｄの背後側には前記移動用モータ２０が取り付けられ、移動用モータ２０の上半分と下半分とが夫々高台８ｄの上下から略半分ずつ突出している。この移動用モータ２０と前記歯車２５とが歯車群を介して連動連結されている。即ち、図6，図７のようになっている。
【００２１】
高台８ｄを貫通する貫通軸２７が軸受を介して回転自在に設けられ、貫通軸２７の上端に固着したプーリ２９と移動用モータ２０の出力軸に固着したプーリ３０とに、ベルト３１が掛けられている。プーリ２９，３０とベルト３１とは歯付のものが用いられている。貫通軸２７の下端にはピニオンギヤ３２が固着され、ピニオンギヤ３２は、高台８ｄの下面に設けられた平歯車部３３ａとピニオンギヤ部３３ｂとからなる歯車３３と、歯車３４と、平歯車部３５ａとピニオンギヤ部３５ｂとからなる歯車３５とを介して歯車２５に連動連結されている。
【００２２】
第二移動台９における高台９ｄの右側の鉛直部９ｆと、ケース１における左側板１ｂの内側とには、ラック３６，３７が設けられている。ケース１の内部に第二移動台９が完全に収容された状態で第二移動台９をロックする前記ロック手段（後述する）４を構成するため、図６に示すように、ラック３６，３７は、固定されて動かない固定ラック３８，３９と、固定ラック３８，３９に対して一歯分だけラックの長さ方向へ移動自在な可動ラック４０，４１とで構成されている。可動ラック４０，４１は固定ラック３８，３９と一体になって歯車２１，２２に噛み合う協働部４０ａ，４１ａと、独立して歯車２１，２２に噛み合う独立部４０ｂ，４１ｂとで構成される。固定ラック３８，３９の上に可動ラック４０，４１の協働部４０ａ，４１ａが摺動自在に設けられている。また、図７に示すように、可動ラック４０，４１を案内するために、可動ラック４０，４１には突起４０ｃ，４０ｃ・突起４１ｃ，４１ｃが形成される一方、第二移動台９，ケース１にはガイド孔４２ａ・ガイド孔４３ａ，４３ｂ（図３）が形成されている。そして、独立部４０ｂ，４１ｂを固定ラック３８，３９へ向かって押圧するように可動ラック４０，４１を付勢する付勢手段として、図７に示すように、第二移動台９に形成した軸４６を囲繞するようにして設けたバネ４７の一端が可動ラック４０に形成された孔４０ｄに挿通され、他端が第二移動台９と一体に形成されたバネ掛け部４８に掛けられる一方、可動ラック４１のロッド部４１ｄとケース１の左側板１ｂから内側へ突出させて設けたバネ掛け部４４とを囲繞するようにして圧縮コイルバネ４５が設けられている。
【００２３】
（Ｅ）ロック手段
第二移動台９をケース１の内部でロックするためのロック手段４は、図７に示すように、ケース１における底板１ａの前面中央側に立設したロックピン５０と、第二移動台９の下面であって前面中央側に回動自在に設けたロックレバー５１等により構成される。ロックレバー５１は固定軸５２に回動自在に設けられ、ロックレバー５１の基端部に一体に形成された係合部５１ａが、第二移動台９の底板９ａに形成した切欠部５３を介して底板９ａの上方へ突出している。固定軸５２における底板９ａの上方へ突出した部分を囲繞するように設けたバネ５４の一端が底板９ａから突出して形成されたバネ受け５５とロックレバー５１の基端部との間に掛けられており、ロックレバー５１はバネ５４によりロックピン５０をロックする方向へ付勢されている。ケース１に設けた前記ロックピン５０は、前記固定軸５２とは干渉しないように、図７における固定軸５２の少し左の上下方向の軌道に沿って移動し、バネ５４の付勢力が加わって図７（ａ）のようにロックレバー５１が傾いた状態では、ロックピン５０はロックレバー５１の先端によって拘束されて上方へは動けず、ロックピン５０はロックされる。ロックピン５０は第一移動台８を貫通した状態でロックレバー５１を設けた第二移動台９の下面に届くので、第一移動台８の底板８ａには、ロックピン５０が貫通して移動できるようにするための長孔５６が形成されている。
【００２４】
（Ｆ）ディスク駆動手段
図３に示すように、前記第二移動台９には再生ユニット５９が設けられている。再生ユニット５９にはディスク駆動手段５とピックアップユニット６とが組み込まれている。ＣＤが第二移動台９の中央に位置してかつ再生用の光ピックアップ６０がＣＤの半径方向へ走行するように設定する場合に、第二移動台９の底板９ａの面積を最も小さくできるのは、光ピックアップ６０の走行方向が底板９ａの対角線の方向となる場合であり、そのような目的を満たす位置に支持部を構成するユニットベース６１が配置されている。図３，４のように３本の支柱６２が第二移動台９の底板９ａに立設され、支柱６２にゴム製の緩衝材を介してユニットベース６１が位置決めされている。
【００２５】
ユニットベース６１における、第二移動台９の中央と対応する位置に、ディスク駆動手段５が設けられている。即ち、ユニットベース６１の下面に図示しないスピンドルモータが取り付けられ、ユニットベース６１を貫通して上方へ突出したスピンドルモータの出力軸６６には、ＣＤを回転させるためのターンテーブル６７が固着されている。ターンテーブル６７の中央には、ＣＤの中央の孔へ嵌め込む円柱形の凸部６７ａが形成されている。また、ＣＤをターンテーブル６７上でチャッキングするとともに小さな力を加えればＣＤをターンテーブル６７上に装着しあるいはターンテーブル６７から取り外すことができるチャッキング手段が設けられている。
【００２６】
チャッキング手段の構成を以下に説明する。凸部６７ａの外周部には１２０度間隔で等配に３つの凹部が形成されている。図示しないストッパ部を有するツメ６８が半径方向へ移動自在な状態で凹部に収容され、図示しないバネにより外側へ付勢されている。ツメ６８には、ＣＤを装着する際と取り外す際とにＣＤから受ける力を、凸部６７ａの中心へ向かってツメ６８を押圧する力に変換することになるテーパ部が形成されている。
【００２７】
ユニットベース６１に組み込まれたピックアップユニット６について説明する。ユニットベース６１には、ターンテーブル６７の中心を通る線に沿ってスリット６１ａが形成されている。そして、光ピックアップ６０をスリット６１ａに沿って案内する図示しないガイド手段と、光ピックアップ６０をスリット６１ａに沿って往復駆動する図示しない走行駆動手段とが設けられているが、これらの構成は既存の構成と同じなので説明を省略する。
【００２８】
（Ｇ）トレイ等
図３に示すように、第二移動台９における第一移動台８上の移動用モータ２０と対応する隅部が切り欠かれており、当該移動用モータ２０が第二移動台９の上方へ突出している。そして、図１，図４のように再生ユニット５９と移動用モータ２０とを除いた部分を埋めるような形状に成形したプリント板８１が第二移動台９の上に結合されている。プリント板８１には、第二移動台９が第一移動台８上から最も移動した位置で移動用モータ２０の回転を止めるリミットスイッチ８３と第二移動台９が第一移動台８と完全に重なった位置で移動用モータ２０の回転を止めるリミットスイッチ８４とが設けられ、第一移動台８にはリミットスイッチ８３のドグを動かすための切欠部８ｅとリミットスイッチ８４のドグを動かすための段部８ｆとが形成されている。
【００２９】
図３に示すように、第二移動台９の上には、略正方形の樹脂からなるトレイ８５が、前記再生ユニット５９を取り付けた支柱６２にねじ込むネジ等を介して取り付けられている。トレイ８５には再生ユニット５９が嵌まり込む切欠部８５ａが形成されており、トレイ８５は前記プリント板８１及び移動用モータ２０を覆っている。トレイ８５にはＣＤを載せるための円形のディスク用凹部８５ｂが形成されている。そして、ＣＤを半径方向に挟んでトレイ８５上に載せたり取り除いたりするために一対の切欠部８５ｃが形成され、円弧部８６ａを有する半透明部材８６がトレイ８５の下面側から取り付けられ、夫々の切欠部８５ｃに半透明部材８６の一部が嵌まり込んでいる。このほか、トレイ８５上のＣＤを取り除く際に中指又は人差し指でターンテーブル６７の凸部６７ａを押さえて親指でＣＤの外周部を持ち上げるための円形の親指用凹部８５ｄが、トレイ８５の前面側の左右の隅部に形成されている。なお、図５の左右の半透明部材８６における円弧部８６ａどうしの距離Ａは、ＣＤの直径よりもやや小さい値のＡ＝１１．５ｃｍとされ、ＣＤの装着と取り外しが容易となる。
【００３０】
前記半透明部材８６の部分から光を放出することにより、載せるＣＤの位置決めを可能にするため、プリント板８１における半透明部材８６と対応する位置には、発光ダイオード９２が夫々設けられている。
【００３１】
（Ｈ）パネル枠・移動パネル
図９に示すように、外枠１０が設けられ、外枠１０内の上部に収容して前記ケース１が取り付けられている。そして、外枠１０の前面側には樹脂製のパネル枠８７が取り付けられる。パネル枠８７には第一移動台８，第二移動台（載置部移動体）９を引き出し・挿入するための開口部８７ａが形成されている。
【００３２】
一方、図３にも示すように、第二移動台９の前面側には樹脂製の移動パネル８８が取り付けられている。移動パネル８８には水平方向へ貫通する長孔状の貫通孔が形成され、貫通孔の左端には第二移動台９をケース１の外部へ引き出し・挿入するための挿脱スイッチ８９が挿入され、貫通孔の右端にはＣＤを回転させるためのスタートスイッチ９０が挿入されている。挿脱スイッチ８９，スタートスイッチ９０は、いずれも貫通孔から抜け落ちないようになっている。貫通孔における挿脱スイッチ８９，スタートスイッチ９０の間には半透明部材９１が挿入されて固着されている。
【００３３】
次に、パネル枠８７と移動パネル８８との関係を、図９に基づいて説明する。第二移動台９がケース１の内部に完全に収容された状態ではパネル枠８７の開口部８７ａに移動パネル８８が嵌まり込んで閉塞されるようになっている。
【００３４】
図１，図４に示すように、前記プリント板８１における前記挿脱スイッチ８９，スタートスイッチ９０と対応する位置には、スイッチ９３，９４が設けられている。また、プリント板８１における挿脱スイッチ８９，スタートスイッチ９０，半透明部材９１と対応する位置には発光ダイオード９５が夫々設けられている。
【００３５】
（Ｉ）フロントパネルの開閉機構
図９に示すように、パネル枠８７には凹部８７ｂが形成され、開口部８７ａを開閉するための操作パネルすなわちフロントパネル１００が凹部８７ｂ内に開閉可能に設けられている。
フロントパネル１００を開閉させるための構成を以下に説明する。図９に示すようにフロントパネル１００は取付板９８に着脱自在に取り付けられ、取付板９８を移動させるための構成が設けられる。
【００３６】
図９〜図１１に示すように、外枠１０における内部の前面側の左右には一対のレバーを回動させるための左駆動機構部９９と右駆動機構部１０１とが設けられ、双方の駆動機構部どうしはシャフト（動力伝達手段）１０２を介して連動連結されている。そして、左駆動機構部９９にはパネル用モータ（パネル駆動手段）１０３が設けられている。以下、各部分ごとに説明する。
【００３７】
まず、左・右駆動機構部９９・１０１について説明する。いずれも支持板１０４，１０５の内側に軸１０６ａを介して回転自在に大歯車（カムギア）１０６（図１２（ａ））が設けられる一方、支持板１０４，１０５の外側には軸１０６ａとは離れた軸１０７ａを介して回動自在に歯付レバー１０７（図１２（ｂ））が設けられている。大歯車１０６における支持板１０４，１０５と対向する面には、カム溝としての渦巻溝１０６ｂが形成される一方、支持板１０４，１０５には軸１０７ａを中心とする円弧溝（図示せず）が形成され、歯付レバー１０７に固着されたピン１０７ｂが円弧溝に挿通されて前記渦巻溝１０６ｂに遊嵌されている。歯付レバー１０７には軸１０７ａを中心とする円弧に沿って歯１０７ｃが形成されている。支持板１０４，１０５の外側には軸１０９ａ，１１０ａによって回動自在に第1、第2のアーム１０９、１１０（図１２（ｃ）（ｄ）参照）が設けられている。（以下、第1のアーム１０９を駆動アームと称し、第２のアーム１１０を従動アームと称する）。
【００３８】
駆動アーム１０９には、軸１０９ａを中心とする円弧に沿って歯１１１ａを有する歯付レバー１１１が固着されており、歯１１１ａは前記歯１０７ｃと噛み合っている。従動アーム１１０を駆動アーム１０９から離れる方向へ付勢するバネ１１２が設けられている。駆動アーム１０９・従動アーム１１０を支持板１０４，１０５へ向かって付勢するための板バネ（図示せず）が外枠１０の内側に夫々設けられている。
【００３９】
そして、左・右駆動機構部９９・１０１を連動させるための前記シャフト１０２が図示しない軸受を介して外枠１０の前面側下部に回転自在に設けられ、シャフト１０２の両端に固着された歯車１１３・１１３が左右の前記大歯車１０６に夫々噛み合っている。
【００４０】
左右で２対の駆動アーム１０９，従動アーム１１０は、それぞれの基端部が前述したように、軸１０９ａ，１１０ａによって支持板１０４，１０５の外側に回動自在に取り付けられていると共に、先端部がそれぞれ回動連結部１４１により前記フロントパネル１００の取付板９８の両端上部に回動自在に結合されている。
【００４１】
前記回動連結部１４１は、前記駆動アーム１０９と従動アーム１１０の先端部に設けられた軸受孔１４２と、該軸受孔１４２を介して前記取付板９８の両端上部に設けられたネジ孔１４３に螺着される軸１４４と、からなっている。
【００４２】
図１１（ａ）に示すように、前記軸１４４は、前記軸受孔１４２よりも小径の軸本体部１４４aと、該軸本体部１４４aの一端部に設けられていて前記軸受孔１４２よりも大径の頭部１４４ｂと、前記軸本体部１４４aの他端部に設けられていて前記軸本体部１４４aよりも小径の雄ネジ部１４４ｃとを備えている。そして、前記前記軸本体部１４４aおよび雄ネジ部１４４ｃを前記駆動アーム１０９と従動アーム１１０の先端部に設けた軸受孔１４２に挿入し、前記雄ネジ部１４４ｃを前記取付板９８の両端上部に設けたネジ孔１４３に螺着することにより、前記駆動アーム１０９と従動アーム１１０の先端部を前記取付板９８の両端上部に回動自在に結合している。
【００４３】
図１１（ｂ）に示すように、前記軸受孔１４２の内周面と、これに挿入された前記軸本体部１４４aの外周面の間には、所定の遊び間隙Gが設定されている。
【００４４】
ここで、図１３（ａ）に示すようにフロントパネル１００が閉じた状態では、駆動アーム１０９の先端部の軸１４４は、従動アーム１１０の先端部の軸１４４に対して、相対的に下方に配置されている。
【００４５】
前記フロントパネル１００が閉じた状態においては、図１３（ｂ）に示すように、前記駆動アーム１０９の軸受孔１４２と従動アーム１１０の軸受孔１４２の外側間隔L１は、前記駆動アーム１０９の軸１４４と従動アーム１１０の軸１４４の最大間隔L２に前記遊び間隙Gを加えた値（Ｌ１=Ｌ２＋Ｇ)に設定されている。そして、この値は、フロントパネル１００が閉じた状態から開いた状態に移動するときも一定に保たれるようになっている。
次に、左側の大歯車１０６を駆動するための構成を図１０，図１１に基づいて説明する。左側の前記支持板１０４の右側には支持板１１６が取り付けられ、支持板１１６に前記パネル用モータ（パネル駆動手段）１０３が取り付けられている。パネル用モータ１０３の出力軸にはウォームギヤ機構が設けられる。このウォームギヤ機構は、パネル用モータ１０３の出力軸に固着されたウォーム１１７と、このウォーム１１７に噛み合うホィール１１８と、当該ホィール１１８に噛み合う大径歯車１１９ａおよび大径歯車１１９ａと同心的に配置された小径歯車１１９ｂからなるホィール１１９と、小径歯車１１９ｂに噛み合う大径歯車１２０ａおよび大径歯車１２０ａと同心的に配置された小径歯車１２０ｂからなるホィール１２０と、小径歯車１２０ｂに噛み合う大径歯車１２１ａおよび大径歯車１２１ａと同心的に配置された小径歯車１２１ｂとからなるホィール１２１とで構成される。なお、パネル用モータ１０３，ホィール１１８，ホィール１１９は支持板１１６に設けられる一方、ホィール１２０，ホィール１２１は支持板１０４に設けられている。
前記ウオームギヤ機構と、渦巻溝１０６ｂを有する大歯車（カムギヤ）１０６とで拘束手段が構成され、拘束手段により駆動アーム１０９が拘束され、結果としてフロントパネル１００が動かないように拘束されている。
【００４６】
前記フロントパネル１００が全開・全閉の状態まで動いたら前記パネル用モータ１０３を停止させるため、左側の大歯車１０６の内側にはドグ１０６ｃが一体に形成される一方、支持板１１６にはリミットスイッチ１２３，１２４が設けられている。
（Ｊ）フロントパネルの着脱機構
前記のように、取付板９８にはフロントパネル１００が着脱自在に設けられている。即ち、図１６のようになっている。フロントパネル１００の右側を引っ掛ける引掛手段１２５とフロントパネル１００の左側を結合する結合手段１２６とが設けられている。
【００４７】
引掛手段１２５は、取付板９８に形成された突起１２５ａと、フロントパネル１００に形成された突起１２５ｂとで構成される。
【００４８】
一方、結合手段１２６は、図１７に示すように、軸１２６ａを中心として回動自在に支持されかつバネ１２６ｂにより前面側へ向かって付勢される主アーム１２６ｃと、主アーム１２６ｃの先端に軸１２６ｄを中心として回動自在に設けられるとともにバネ１２６ｅにより前方へ向かって付勢される補助アーム１２６ｆと取付板９８に形成された切欠部９８ａの上下に下方・上方へ向かって突出する一対のピン１２６ｇと、図１６のようにフロントパネル１００の左側に形成された係合凹部１２６ｈとで構成される。補助アーム１２６ｆには、一対のピン１２６ｇに係合して補助アーム１２６ｆの仮軸受となる仮軸受部１２６ｉと、ピン１２６ｇを中心として回動して前記係合凹部１２６ｈに係合する係合突起１２６ｊとが形成されている。このほか、主アーム１２６ｃの被押圧部１２６ｋを押圧してフロントパネル１００を取付板９８から取り外すために、図１８に示すように、フロントパネル１００には、リリースボタン１２６ｍがバネ１２６ｎにより前面側へ付勢された状態で設けられている。
（Ｋ）フロントパネルの構成
フロントパネル１００には、以下のような操作子（スイッチ）が設けられている。図９のようにフロントパネル１００を開閉するための開閉スイッチ１２７と、ＣＤを挿脱するための挿脱スイッチ１２８と、選曲スイッチ１２９と再生を開始するためのスタートスイッチ１３０と、音量を増減させるための音量スイッチ１３１と、ＣＤとＭＤ（ミニディスク）との間でモードを切り替えるモード切替スイッチ１３２と、選曲のための曲名や音量を表示するための表示部１３３と、電源ＯＮ・ＯＦＦスイッチ１３４等が設けられている。
フロントパネル１００は取付板９８に対して着脱自在なため、図１６のようにフロントパネル１００の背面にオスコネクタ１３５が設けられる一方、取付板９８の前面にはメスコネクタ１３６が設けられ、メスコネクタ１３６は図示しないフレキシブルなハーネスを介してケース１０の内部と電気的に接続されている。
【００４９】
＜作用＞
次に、ＣＤをケース１内に収容して再生するための手順について説明する。
【００５０】
（Ａ）フロントパネルの開閉
まず、パネル枠８７の凹部８７ｂ内のフロントパネル１００を開くために、フロントパネル１００の前面に設けた図９の開閉スイッチ１２７を押し、パネル用モータ１０３を回転させる。すると、図１０においてパネル用モータ１０３の回転がウォーム１１７からホィール１１８〜１２１を介して左側の大歯車１０６へ伝わり、更に歯車１１３とシャフト１０２とを介して右側の大歯車１０６へ伝わり、一対の大歯車１０６が同一方向へ同時に回転する。このとき、大歯車１０６の渦巻溝１０６ｂに沿ってピン１０７ｂが大歯車１０６の外側へ移動するので、歯付レバー１０７が軸１０７ａを中心として回動し、歯１０７ｃの部分が前面側へ移動する。このため、歯１０７ｃと噛み合う歯１１１ａを有する歯付レバー１１１が一体化されている駆動アーム１０９が軸１０９ａを中心として回動し、駆動アーム１０９の先端がパネル枠８７の前方で上から下へ向かって降下する。駆動アーム１０９の先端には取付板９８が結合され、取付板９８には従動アーム１１０の先端が結合されており、図１３（ａ）のようにフロントパネル１００が閉の状態のときは、駆動アーム１０９の回動連結部１４１の上方に、従動アーム１１０の回動連結部１４１が位置するように、前記従動アーム１１０の基端部の軸１１０ａの位置と、従動アーム１１０の長さとが設定されている。そして、前記フロントパネル１００が閉の状態から前記パネル用モータ（パネル駆動手段）１０３を駆動させると、前記駆動アーム１０９と従動アーム１１０は、それぞれ基端部の軸109ａと軸１１０ａを中心に回動して図14のフロントパネル１００の半開の状態を経て、図15に示すフロントパネル１００の全開の状態に至る。そして、フロントパネル１００が全開の状態のときは、従動アーム１１０は、バネ１１２の付勢力に抗して図１５の位置まで取付板９８に引っ張られる。そして、取付板９８に取り付けられたフロントパネル１００が図１０に示す左の大歯車１０６のドグ１０６ｃがリミットスイッチ１２４を押すと、パネル用モータ１０３の回転が停止する。フロントパネル１００が開の状態ではホィール１１８からウォーム１１７を回すことができず、ピン１０７ｂから大歯車１０６を回すことも困難なため、フロントパネル１００は拘束された状態となり、フロントパネル１００上のスイッチの操作が容易となる。
【００５１】
ところで、図１３（b）に示すように、前記駆動アーム１０９の軸受孔１４２と従動アーム１１０の軸受孔１４２の外側間隔L１は、前記駆動アーム１０９の軸１４４と従動アーム１１０の軸１４４の外側間隔L２に前記遊び間隙Gを加えた値に設定されている。そして、この値は、フロントパネル１００が閉状態のときも全開状態のときも一定に保たれるようになっている。前記遊び間隙Gは、言うまでもなく前記軸１４４を取付板９８に対して円滑に回動させるために必要不可欠のものである。
【００５２】
しかし、フロントパネル１００の全開状態において前記遊び間隙Gが存在すると、フロントパネル１００に設けた操作子（スイッチ）等を操作する際に操作力（押圧力）が加わるとフロントパネル１００が撓んでしまう。特に、カーステレオ等の車載装置においては、操作タッチを明確にするために、所謂重いタッチの操作子を使用する傾向にあるためにフロントパネル１００の撓みが増大して操作フィーリングを悪化させる原因になる虞がある。
【００５３】
図２２は、フロントパネル１００の全開状態において前記遊び間隙Gを実質的に無くすことにより、上記フロントパネル１００の撓みを防止できるようにした実施例を示す。この実施例において、フロントパネル１００の閉状態における前記駆動アーム１０９の軸受孔１４２と従動アーム１１０の軸受孔１４２の外側間隔L１が、前記駆動アーム１０９の軸１４４と従動アーム１１０の軸１４４の外側間隔L２に前記遊び間隙Gを加えた値になり、また、フロントパネル１００の全開状態における前記駆動アーム１０９の軸受孔１４２と従動アーム１１０の軸受孔１４２の外側間隔L３が、前記駆動アーム１０９の軸１４４と従動アーム１１０の軸１４４の外側間隔L２に前記遊び間隙２Gを加えた値以上（Ｌ３≧L２＋２G)になるように、駆動アーム１０９の先端部（軸受孔１４２）の移動軌跡R1と、従動アーム１１０の先端部（軸受孔１４２）の移動軌跡R２が設定されている。
【００５４】
具体的には、フロントパネル１００を全開させる位置まで従動アーム１１０が回動してきたときに、該従動アーム１１０に設けた突起部１５１が突起当接部１５２に当接して、前記従動アーム１１０は、その軸受孔１４２と、駆動アーム１０９の軸受孔１４２との間隔を拡大する方向に僅かに移動するようになっている。
【００５５】
従って、フロントパネル１００の全開位置においては、前記遊び間隙Gは、実質的に無くなった状態になり、前記遊び間隙Gの存在が原因で起こるフロントパネル１００の撓みをなくし、フロントパネル１００に設けた操作子（スイッチ）の操作性、操作フィーリングを向上させることができる。
【００５６】
（Ｂ）移動台の引き出し
次に、図１５の状態で移動パネル８８の挿脱スイッチ８９又はフロントパネル１００の挿脱スイッチ１２８を押す。すると、移動用モータ２０が回転を開始し、移動用モータ２０の回転力が歯車群を介して歯車２５へ伝わり、歯車２１，２２が同一方向へ回転する。すると、図６の歯車２１，２２が噛み合っている可動ラック４０，４１が、矢印で示すように相互に反対方向へ移動する。このとき、図８のように、最初に例えば固定ラック３８に対して可動ラック４０が一歯分のｓだけ移動する。図7（ａ）の状態から一方の可動ラック４０が図中の下方へｓだけ移動すると、可動ラック４０の段部４０ｅが係合部５１ａを図中の下方へ押し、ロックレバー５１がバネ５４の付勢力に抗して固定軸５２を中心として回動し、図７（ｂ）のようにロックレバー５１の先端がロックピン５０の軌道から外れる。そして、一歯分のｓだけずれた状態で、固定ラック３８・可動ラック４０の双方に沿って歯車２１が転がる一方、固定ラック３９・可動ラック４１の双方に沿って歯車２２が転がり、第一移動台８に対してケース１と第二移動台９とが相互に反対方向へ突出することになる。見方を変えれば、ケース１に対して第一移動台８が前面側へ移動し、第一移動台８に対して第二移動台９が前面側へ移動することになる。これにより、移動パネル８８がパネル枠８７の開口部８７ａから出たのちに第一移動台８と第二移動台９とが順に開口部８７ａから突出し、第二移動台９の略全体がケース１の外へ出て図４，図５のＣＤの排出状態となる。そして、リミットスイッチ８３のドグが切欠部８ｅに入り込むと、移動用モータ２０の回転が止まる。
【００５７】
（Ｃ）ディスクの装着と移動台の挿入
このあと、親指と中指とでＣＤを半径方向から挟み、トレイ８５上に載せ、ターンテーブル６７の凸部６７ａをＣＤの孔へ挿入させてＣＤの中心部近傍を下方へ押す。すると外側へ向かって図示しないバネで押されるツメ６８によりＣＤがターンテーブル６７上でチャッキングされる。なお、夜間等の暗いときにＣＤをチャッキングするには発光ダイオード９２により一対の半透明部材８６と単一の半透明部材９１とが光るようになりＣＤの載置位置が明確になるようになっている。
そして、図１５に第二移動台９が引き出された状態を仮想線でを示すように、フロントパネル１００上の挿脱スイッチ１２８は第二移動台９の下に位置して操作しずらいため、移動パネル８８の挿脱スイッチ８９を押すと、移動用モータ２０が前記とは反対方向に回転し、第一移動台８，第二移動台９がケース１内に挿入される（図１及び図２の状態）。
【００５８】
第一移動台８，第二移動台９がケース１の内部に収容されると、ロックピン５０が第二移動台９の下面に沿って相対的に前面側へ移動し、バネ５４の付勢力に抗してロックレバー５１が回動させられ、その後に復帰する。つまり、第一移動台８，第二移動台９が完全にケース１内に収容されるとロックピン５０はロックレバー５１の先端によりロックされる。このとき、リミットスイッチ８４のドグが段部８ｆと係合し、移動用モータ２０の回転が止まる。また、歯車２１，２２は固定ラック３８，３９から外れた位置まで移動して少し回転するので、歯車２１，２２は可動ラック４０，４１のみと噛み合って可動ラック４０，４１を一歯分だけ前記と逆方向へ移動させて元の位置へ戻させることになる。
【００５９】
（Ｄ）ディスクの再生
以上のようにしてケース１の内部へＣＤが収容されたら、開閉スイッチ１２７を押し、フロントパネル１００を閉じる。フロントパネル１００が閉じると、図１０のドグ１０６ｃがリミットスイッチ１２３を押し、パネル用モータ１０３が停止する。このあと、選曲スイッチ１２９を押して選曲し、フロントパネル１００上のスタートスイッチ１３０を押す。すると、前記のように第二移動台９が挿入されたときに、ロックピン５０がロックレバー５１によってロックされた状態で、スピンドルモータが回転してターンテーブル６７上のＣＤが回転を開始すると同時に、光ピックアップ６０がスリット６１ａ内をＣＤの半径方向に沿って移動し、ＣＤの再生が行われる。
ＣＤをより早く再生したい場合は、フロントパネル１００を閉じる前に移動パネル８８のスタートスイッチ９０を押せばよい。本来ならば挿脱スイッチ１２８を押してＣＤが収容され、その後にフロントパネル１００を閉じてからスタートスイッチ１３０を押すべきところ、スタートスイッチ９０のみを押すだけで再生が開始されることになる。
【００６０】
（Ｅ）移動台からのディスクの取り出し
再生の終了後は、開閉スイッチ１２７を押してフロントパネル１００を開いたのち、挿脱スイッチ８９又は挿脱スイッチ１２８を押して第二移動台９をケース１の外へ引き出し、ターンテーブル６７からＣＤを取り外す。この場合、一対の円弧部８６ａの位置でＣＤを挟持して上へ引いてもよく、中指又は人差し指を凸部６７ａに当てた状態で親指用凹部８５ｄへ親指を入れて持ち上げるようにしてもよい。ＣＤを外した後は再び挿脱スイッチ８９を押して第二移動台９をケース１の中へ収容し、開閉スイッチ１２７を押してフロントパネル１００を閉じる。
（Ｆ）フロントパネルの着脱
車から離れる場合は、ディスクプレーヤであることが認識されないように、またディスクプレーヤが盗難にあっても操作できないように、フロントパネル１００を取り外すことができる。図１８（ａ）に示すリリースボタン１２６ｍを押すと被押圧部１２６ｋが押されるために主アーム１２６ｃが図１９の位置から背面側へ少し回動して図２０の位置を占め、これにより補助アーム１２６ｆにおける軸１２６ｄの部分が背面側へ少し移動し、ピン１２６ｇは動かないために仮軸受部１２６ｉがピン１２６ｇから外れ、図２１のようにバネ１２６ｅの作用により補助アーム１２６ｆが軸１２６ｄを中心として前面側へ回動する。このため、係合突起１２６ｊがフロントパネル１００の係合凹部１２６ｈから外れ、フロントパネル１００を取り外すことができる。このとき、メスコネクタ１３６からオスコネクタ１３５が抜ける。
【００６１】
次に、フロントパネル１００を装着する場合は、図１６におけるフロントパネル１００の右背面の突起１２５ｂを取付板９８の突起１２５ａに係合させた状態でフロントパネル１００の左側を取付板９８へ押圧する。すると、取り外すときとは逆であって、バネ１２６ｂのバネ定数がバネ１２６ｅのバネ定数よりも大きいので、図２１の状態から補助アーム１２６ｆが軸１２６ｄを中心として回動したのちに主アーム１２６ｃが軸１２６ａを中心として背面側へ回動して図２０の状態となり、仮軸受部１２６ｉがピン１２６ｇに係合したのちにフロントパネル１００への押圧力を除去すると、バネ１２６ｂの付勢力で主アーム１２６ｃが軸１２６ａを中心に前方へ少し回動して図１９の状態となり、このとき仮軸受部１２６ｉがピン１２６ｇに引っ掛かり、補助アーム１２６ｆがピン１２６ｇを中心として前面側へ少し回動するため、係合突起１２６ｊがフロントパネル１００の係合凹部１２６ｈにはいり込み、フロントパネル１００が取付板９８に装着される。
なお、本実施の形態はディスクの記録及び／又は再生装置を、ディスクの再生装置としてのディスクプレーヤに適用したものであるが、ディスクの記録装置又はディスクの記録及び再生を行う装置に適用してもよい。そして、ＣＤはφ１２０ｍｍのものを用いたがφ８０ｍｍのものを再生することもできる。
また、本実施の形態では記録媒体がＣＤのみの場合を示したが、ＣＤとメモリカード、あるいはＣＤとカセットテープとの組み合わせ等であってもよい。更に、本実施の形態では第1、第2のアームのうちの一方のみが駆動アームの場合を示したが、双方を駆動アームにしてもよい。
【図面の簡単な説明】
【００６２】
【図１】本発明によるディスクの記録及び／又は再生装置の実施の形態を示す斜視図。
【図２】本発明によるディスクの記録及び／又は再生装置の実施の形態を示す平面図。
【図３】本発明によるディスクの記録及び／又は再生装置の実施の形態を示す分解斜視図。
【図４】本発明によるディスクの記録及び／又は再生装置の実施の形態に係り、移動台がケースから引き出された状態を示す斜視図。
【図５】本発明によるディスクの記録及び／又は再生装置の実施の形態に係り、移動台がケースから引き出された状態を示す平面図。
【図６】本発明によるディスクの記録及び／又は再生装置の実施の形態に係り、移動台を駆動するための移動用駆動手段の斜視図。
【図７】移動用駆動手段およびロック手段の構成と作用とを説明するための平面図。
【図８】ロック手段の作用を説明するための平面図。
【図９】外枠とパネルとの関係を示す分解斜視図。
【図１０】左駆動機構部を示す構成図。
【図１１】（ａ）は左駆動機構部の斜視図、（ｂ）は軸部の断面図。
【図１２】左右の駆動機構部を構成する部品図。
【図１３】（ａ）はフロントパネルが閉じた状態の説明図、（ｂ）は要部の断面図。
【図１４】フロントパネルが少し開いた状態の説明図。
【図１５】フロントパネルが完全に開いた状態の説明図。
【図１６】フロントパネルを取り外す場合の説明図。
【図１７】フロントパネルの結合手段の分解斜視図。
【図１８】フロントパネルに設けたリリースボタンの説明図。
【図１９】フロントパネルが装着された状態の平面断面図。
【図２０】リリースボタンが押された状態の平面断面図。
【図２１】フロントパネルが外される直前の状態の平面断面図。
【図２２】他の実施例の説明図。
【符号の説明】
【００６３】
１０…外枠
８７…パネル枠
８７ａ…開口部
８８…移動パネル
１００…フロントパネル
１０２…シャフト
１０３…パネル用モータ
１０９…駆動アーム
１１０…従動アーム
１１７…ウォーム
１１８…ホィール
１４１…回動連結部
【図１】
2008091032.tif 000003
【図２】
2008091032.tif 000004
【図３】
2008091032.tif 000005
【図４】
2008091032.tif 000006
【図５】
2008091032.tif 000007
【図６】
2008091032.tif 000008
【図７】
2008091032.tif 000009
【図８】
2008091032.tif 000010
【図９】
2008091032.tif 000011
【図１０】
2008091032.tif 000012
【図１１】
2008091032.tif 000013
【図１２】
2008091032.tif 000014
【図１３】
2008091032.tif 000015
【図１４】
2008091032.tif 000016
【図１５】
2008091032.tif 000017
【図１６】
2008091032.tif 000018
【図１７】
2008091032.tif 000019
【図１８】
2008091032.tif 000020
【図１９】
2008091032.tif 000021
【図２０】
2008091032.tif 000022
【図２１】
2008091032.tif 000023
【図２２】
2008091032.tif 000024